(57)【特許請求の範囲】
【請求項１】
アンテナ素子と、該アンテナ素子が内蔵若しくは装着された本体ケースとからなり、本体ケースの底面には、壁掛け用のフック孔が穿設された室内アンテナにおいて、
前記フック孔は、当該室内アンテナを壁に掛けた際に前記本体ケースの上下方向中間位置よりも上方に位置するように形成されており、
前記本体ケースの底面において、当該室内アンテナを壁に掛けた際に前記フック孔よりも下方となる位置には、ねじを螺合するためのねじ孔が形成されており、
しかも、前記ねじ孔は、当該室内アンテナを壁に掛けた際に略水平となるよう所定の間隔を空けて一対形成されていることを特徴とする室内アンテナ。
【発明の詳細な説明】
【技術分野】
【０００１】
本発明は、アンテナ素子と、アンテナ素子が内蔵若しくは装着された本体ケースとからなる室内アンテナに関する。
【背景技術】
【０００２】
従来、室内アンテナには、頂点方向に指向性を有するアンテナ素子を扁平な本体ケース内に収納して、壁に掛けて使用するよう構成されたものが知られている（例えば、特許文献１等、参照）。
【０００３】
また、ループアンテナやロッドアンテナ等からなるアンテナ素子を本体ケースに装着することで、キャビネット等への載置用としても、壁掛け用としても使用できるようにしたものも知られている（例えば、特許文献２等、参照）。
【０００４】
これらの室内アンテナは、何れも壁に掛けて使用できることから、本体ケースの底面には、通常、壁掛け用のフック孔が穿設されており、壁に掛けて使用する際には、壁に支持部材となるフックを固定し、このフックの先端にフック孔を係合させることで使用される。
【特許文献１】特開２００４−１７３２３５号公報
【特許文献２】特開２００５−９４１６６号公報
【発明の開示】
【発明が解決しようとする課題】
【０００５】
ところで、上記のように室内アンテナを壁に掛けて使用する場合、フック孔と壁との間の距離が、壁掛けに用いるフックの長さ（換言すれば、壁面からの突出量）によって変化することから、壁と本体ケースの底面とがなす角度も変化することになり、壁面からのフックの突出量が大きいと室内アンテナが大きく傾き、見栄えが悪くなるという問題があった。
【０００６】
またこのように、壁面に対して室内アンテナが大きく傾くと、アンテナ素子の指向特性も変化し、室内アンテナによる受信感度が低下するという問題もある。
本発明は、こうした問題に鑑みなされたものであり、本体ケースの底面に壁掛け用のフック孔が形成された室内アンテナにおいて、壁掛けに用いるフックの大きさに影響されることなく、壁に対する傾きを適正に設定できるようにすることを目的とする。
【課題を解決するための手段】
【０００７】
かかる目的を達成するためになされた請求項１に記載の発明は、
アンテナ素子と、該アンテナ素子が内蔵若しくは装着された本体ケースとからなり、本体ケースの底面には、壁掛け用のフック孔が穿設された室内アンテナにおいて、
前記フック孔は、当該室内アンテナを壁に掛けた際に前記本体ケースの上下方向中間位置よりも上方に位置するように形成されており、
前記本体ケースの底面において、当該室内アンテナを壁に掛けた際に前記フック孔よりも下方となる位置には、ねじを螺合するためのねじ孔が形成されており、
しかも、前記ねじ孔は、当該室内アンテナを壁に掛けた際に略水平となるよう所定の間隔を空けて一対形成されていることを特徴とする。
【発明の効果】
【０００９】
請求項１に記載の室内アンテナにおいて、本体ケースの底面には、当該室内アンテナを壁に掛けた際に本体ケースの上下方向中間位置よりも上方に位置するように、壁掛け用のフック孔が形成されている。また、当該室内アンテナを壁に掛けた際にフック孔よりも下方となる位置には、ねじを螺合するためのねじ孔が形成されている。
【００１０】
このため、当該室内アンテナを壁に掛けて使用する際には、このねじ孔にねじを螺合して、ねじ孔からのねじの突出量を調整することにより、室内アンテナの姿勢を簡単に調整することができる。
【００１１】
よって、本発明の室内アンテナによれば、壁に掛けた際に、本体ケースが傾き、見栄えが悪くなるとか、アンテナの向き（仰角）を適性に設定できなくなる、といった問題を防止できる。
【００１２】
また、本発明の室内アンテナにおいては、上述した傾き調整用のねじ孔が、室内アンテナを壁に掛けた際に略水平となるよう所定の間隔を明けて一対形成されている。
このため、本発明の室内アンテナによれば、室内アンテナを壁に掛けた際に、室内アンテナの向きを、上下方向（仰角方向）だけでなく、水平方向にも調整することができる。
【発明を実施するための最良の形態】
【００１３】
以下に本発明の実施形態を図面と共に説明する。
図１は、本実施形態の室内アンテナ全体の構成を表す斜視図であり、図２は、本実施形態の室内アンテナの底面を表す底面図であり、図３は、本実施形態の室内アンテナの底部を一部破断して表す一部破断側面図である。
【００１４】
図１に示すように、本実施形態の室内アンテナは、テレビ放送やＦＭ放送の放送電波を受信するためのものであり、ＵＨＦ帯のテレビ放送電波を受信するループアンテナ２と、ＶＨＦ帯のテレビ放送電波やＦＭ放送電波を受信する２つのロッドアンテナ４と、これら各アンテナ２、４をアンテナの向きを調整可能に支持する本体ケース１０とを備える。
【００１５】
ここで、本体ケース１０は、合成樹脂製であり、テレビ受像機やキャビネット等に載置するか、或いは、壁に掛けて使用できるように、扁平な６角形の箱状に形成されている。
また、ロッドアンテナ４は、径の異なる複数の金属パイプを同軸上に配置することで、伸縮自在に構成された周知のものであり、本体ケース１０の６つの角部のうち、互いに対向する一対の角部の側壁から突出された支軸８の先端に揺動自在に固定されている。なお、支軸８は、本体ケース１０内にて軸周りに回動自在に固定されている。
【００１６】
一方、ループアンテナ２は、図３に示すように、透明若しくは半透明の合成樹脂にて角部のない四角形に形成された基板１２を備え、この基板１２の外周端縁に連続的に形成された溝部１４にアンテナ線１６を埋設することにより、平板状に形成したものであり、合成樹脂製の軸受カバー６を介して、本体ケース１０の上面に角度調整可能に固定されている。
【００１７】
なお、軸受カバー６は、本体ケース１０に対しループアンテナ２を揺動可能に軸支するものであるが、その揺動中心軸は、ロッドアンテナ４の支軸８が突設された一対の角部を接続する中心軸Ｌ（換言すれば、本体ケース１０をその上・下面と直交する面で２分する
中心軸Ｌ：図２参照）と互いに平行になるように、本体ケース１０に取り付けられている。
【００１８】
次に、図２に示すように、本体ケース１０の底面には、上記のように本体ケース１０を２分する中心軸Ｌを挟んで、一方の側には一対のフック孔２２が形成され、他方の側には一対のねじ孔２４が形成されている。
【００１９】
フック孔２２は、室内アンテナを壁に掛けて使用する際に、本体ケース１０の上下方向中間位置（つまり中心軸Ｌ）よりも上方の位置にて、壁に固定されたフック３２の先端を本体ケース内に挿通して、その先端を本体ケース１０に係合させるためのものであり（図３参照）、二つのフック孔２２が本体ケース１０の中心軸Ｌと平行となるように、本体ケース１０の壁面に直接形成されている。
【００２０】
また、ねじ孔２４は、室内アンテナを掛けて使用する際に、フック孔２２よりも下方に配置されて、当該ねじ孔２４に螺合されたねじ３４の本体ケース１０からの突出量を調整することにより、本体ケース１０（延いては室内アンテナ）の壁面に対する傾斜角度を調整できるようにするためのものであり（図３参照）、本実施形態では、本体ケース１０内に本体ケース１０の底面に沿って固定された金属板２６にバーリングタップを形成することにより構成されている。
【００２１】
つまり、本実施形態の本体ケース１０は、合成樹脂製で、その底面の厚みは、小型化のために薄くなっているので、本実施形態では、室内アンテナを載置型として使用する際の重量を確保するために本体ケース１０内に設けられた金属板２６にバーリングタップを形成することにより、ねじ３４をしっかりと固定できるねじ孔２４を形成し、本体ケース１０の外壁となる合成樹脂製の底面には、ねじ３４を挿通するための挿通孔を穿設するようにしている。
【００２２】
なお、このねじ孔２４も、フック孔２２と同様、二つのねじ孔２４が本体ケース１０の中心軸Ｌと平行となるように本体ケース１０及び内部の金属板２６に形成されている。
以上説明したように、本実施形態の室内アンテナにおいては、本体ケース１０の底面に壁掛け用のフック孔２２が形成されるだけでなく、室内アンテナを壁に掛けた際にフック孔２２よりも下方となる位置には、ねじ３４を螺合するためのねじ孔２４が形成されている。
【００２３】
このため、本実施形態の室内アンテナを壁に掛けて使用する際には、このねじ孔２４にねじ３４を螺合して、ねじ孔２４からのねじ３４の突出量を調整することにより、室内アンテナの姿勢を簡単に調整することができる。
【００２４】
また特に、本実施形態では、ねじ孔２４が本体ケース１０に一対設けられているので、本体ケース１０の上下方向（仰角方向）の傾きだけでなく、左右方向（水平方向）の傾きをも調整することができ、室内アンテナの姿勢を最適に調整できる。
【００２５】
従って、本実施形態の室内アンテナによれば、壁に掛けた際に、本体ケースが傾き、見栄えが悪くなるとか、アンテナの向き（仰角）を適性に設定できなくなる、といった問題を防止できる。
【００２６】
以上、本発明の一実施形態を説明したが、本発明は、上記実施形態に限定されるものではなく、本発明の要旨を逸脱しない範囲内にて、種々の態様をとることができる。
例えば、上記実施形態では、アンテナ素子として、ループアンテナ２及びロッドアンテナ４を外部から装着した本体ケース１０の壁掛け構造について説明したが、本発明は、アンテナ素子を内蔵した室内アンテナであっても、或いは、ループアンテナ２のみを装着した室内アンテナであっても、上記実施形態と同様に適用して、上記実施形態と同様の効果を得ることができる。
【００２７】
また、上記実施形態では、傾き調整用のねじ３４を螺入するねじ孔２４は、本体ケース１０内に設けた金属板２６にバーリングタップを形成することにより、構成するものとして説明したが、本体ケース１０の外壁を構成する合成樹脂の厚みがある場合、或いは、本体ケース１０の底面を金属で構成した場合等、本体ケース１０の底面の強度を確保できる場合には、本体ケース１０の壁面（底面）に直接ねじ孔２４を穿設するようにしてもよい。
【図面の簡単な説明】
【００２８】
【図１】実施形態の室内アンテナ全体の構成を表す斜視図である。
【図２】実施形態の室内アンテナの底面を表す底面図である。
【図３】実施形態の室内アンテナの底部を一部破断して表す一部破断側面図である。
【符号の説明】
【００２９】
２…ループアンテナ、４…ロッドアンテナ、６…軸受カバー、８…支軸、１０…本体ケース、１２…基板、１４…溝部、１６…アンテナ線、２２…フック孔、２４…ねじ孔、２６…金属板、３２…フック、３４…ねじ。
【図１】
0005090994.tif 000002
【図２】
0005090994.tif 000003
【図３】
0005090994.tif 000004